(57)【要約】      （修正有）【課題】傷口の大きさによって、別れる距離を敏捷に調節することができ、それによって手術を正常に行い、構造が簡単である医用傷口分け装置を提供する。【解決手段】スライドレバー１、および、スライドレバーに組み合わせる２つのフック装置２を有する。フック装置は可動カバー２０１とフック２０２を含み、可動カバーとフックは一体式構造であり、フックは可動カバーの下端面に位置し、可動カバーはスライドレバーに設置され、スライドレバーの外周面に二つのスライドレール１１１が対称に設置される。可動カバーの内表面にスライドレールを組み合わせる溝が設置され、可動カバーの上部に一つのねじ穴が設置され、ねじ穴にねじが組み合わせられる。ねじの下端面はスライドレバーと接触し、可動カバーの上部に接続先４が設置され、接続先の中に取っ手５が設置され、取っ手と接続先の間に第一ねじ６が組み合わされる。【選択図】図１
0003198667.tif 000002
【実用新案登録請求の範囲】
【請求項１】
医用傷口分け装置において、スライドレバー、および、前記スライドレバーに組み合わせる2つのフック装置を含み、前記フック装置は可動カバーとフックを含み、前記可動カバーとフックは一体式構造であり、前記フックは前記可動カバーの下端面に位置し、前記可動カバーは前記スライドレバーに設置され、前記スライドレバーの外周面に二つのスライドレールが対称に設置され、前記可動カバーの内表面に前記スライドレールを組み合わせる溝が設置され、前記可動カバーの上部に一つのねじ穴が設置され、前記ねじ穴にねじが組み合わされ、前記ねじの下端面は前記スライドレバーと接触し、前記可動カバーの上部に接続先が設置され、前記接続先の中に取っ手が設置され、前記取っ手と前記接続先の間に第一ねじが組み合わされることを特徴とする医用傷口分け装置。
【請求項２】
請求項１に記載の医用傷口分け装置において、前記スライドレバーの両端は円弧で移行することを特徴とする医用傷口分け装置。
【請求項３】
請求項１に記載の医用傷口分け装置において、前記スライドレバーの表面に目盛りが軸方向で設置されることを特徴とする医用傷口分け装置。
【請求項４】
請求項１に記載の医用傷口分け装置において、前記取っ手の外表面に滑り止めカバーが設置され、前記滑り止めカバーはゴムカバーであることを特徴とする医用傷口分け装置。
【考案の詳細な説明】
【技術分野】
【０００１】
本発明は医用傷口分け装置に関する。
【背景技術】
【０００２】
患者を内科手術時に、人体の表面で切り口を開いて、その後の切り目を広げ、患者に対する手術を完成して、傷口を切って割った後で、医用傷口分け装置を使って傷口に対してずっと開ける状態を維持しなければならなくて、それによって手術のが正常に行う。
【０００３】
既存の技術の医用傷口分け装置の規格は固定的なので、手術の際に多くセットを用意する必要があるように、傷の大きさによって調節し、とても面倒で、コストが高い。
【考案の概要】
【考案が解決しようとする課題】
【０００４】
当発明の解決すべき技術問題は医用傷口分け装置の提供、該装置は傷口の大きさによって、別れる距離を敏捷に調節することができ、それによって手術が正常に行い、同時本装置の構造は簡単である。
【課題を解決するための手段】
【０００５】
上記問題を解決するため、当発明は次の通りな技術方案を採用する：
医用傷口分け装置は，スライドレバー、および、前記スライドレバーに組み合わせる2つのフック装置を含み、前記フック装置は可動カバーとフックを含み、前記可動カバーとフックは一体式構造であり、前記フックは前記可動カバーの下端面に位置し、前記可動カバーは前記スライドレバーに設置され、前記スライドレバーの外週面に二つのスライドレールが対称に設置され、前記可動カバーの内表面に前記スライドレールを組み合わせる溝が設置され、前記可動カバーの上部に一つのねじ穴が設置され、前記ねじ穴にねじが組み合わせ、前記ねじの下端面は前記スライドレバーと接触し、前記可動カバーの上部に接続先が設置され、前記接続先の中に取っ手が設置され、前記取っ手と前記接続先の間に第一ねじが組み合わせる。該装置は傷口の大きさによって、別れる距離を敏捷に調節することができ、それによって手術が正常に行い、同時本装置の構造は簡単である。
【０００６】
最適化する技術の方案として、前記スライドレバーの両端は円弧で移行する
【０００７】
最適化する技術の方案として、前記スライドレバーの表面に目盛りが軸方向で設置される。
【０００８】
最適化する技術の方案として、前記取っ手の外表面に滑り止めカバーが設置され、前記滑り止めカバーはゴムカバーでカバーである。
【考案の効果】
【０００９】
本発明の役立つ効果は以下のとうりである：該装置は傷口の大きさによって、別れる距離を敏捷に調節することができ、それによって手術が正常に行い、同時本装置の構造が簡単で、コストが安く、操作が使いやすく、普及に適合する。
【図面の簡単な説明】
【００１０】
【図１】本発明の構造略図。
【考案を実施するための形態】
【００１１】
次に、付図に合わせて、本発明の最適する実施案を詳しく述べて、本発明の長所と特徴を本分野の技術者にもっと理解されやすく、それによって、本発明の保護範囲をもっとはっきり明確に定義する。
【００１２】
図１に示す医用傷口分け装置は、スライドレバー１、および、前記スライドレバー１に組み合わせる2つのフック装置２を含み、前記フック装置２は可動カバー２０１とフック２０２を含み、前記可動カバー２０１とフック２０２は一体式構造であり、前記フック２０２は前記可動カバー２０１の下端面に位置し、前記可動カバー２０１は前記スライドレバー１に設置され、前記スライドレバー１の外週面に二つのスライドレール１１１が対称に設置され、前記可動カバー２０１の内表面に前記スライドレール１１１を組み合わせる溝が設置され、前記可動カバー２０１の上部に一つのねじ穴が設置され、前記ねじ穴にねじ３が組み合わせ、前記ねじ３の下端面は前記スライドレバー１と接触し、前記可動カバー２０１の上部に接続先４が設置され、前記接続先４の中に取っ手５が設置され、前記取っ手５と前記接続先４の間に第一ねじ６が組み合わせる。
【００１３】
本発明に良い実施案がある：前記スライドレバー１の両端は円弧で移行する。
【００１４】
本発明に良い実施案がある：前記スライドレバー１の表面に目盛りが軸方向で設置される。
【００１５】
本発明に良い実施案がある：前記取っ手の外表面に滑り止めカバーが設置され、前記滑り止めカバーはゴムカバーでカバーである。
【００１６】
本発明の役立つ効果は以下のとうりである：該装置は傷口の大きさによって、別れる距離を敏捷に調節することができ、それによって手術が正常に行い、同時本装置の構造が簡単で、コストが安く、操作が使いやすく、普及に適合する。
【００１７】
本発明の基本的な原理、主要な特徴と本発明の長所は以上のように表示と記述した。当業界の技術者は理解するべきで、当発明は上記実施案の制限を受けないで、上記の実施案と説明書の中で描かれているのがただ本発明を説明する原理だけで、本発明の精神と範囲から前提で本発明はまた様々な変化と改善があり、これらの変化と改善は本発明を保護する範囲に限定される。本発明の要求と保護範囲は、添付の権利請求書と同じである物に限定される。
【符号の説明】
【００１８】
１  スライドレバー
２  フック装置
３  ねじ
４  接続先
５  取っ手
６  第一ねじ
１１１  スライドレール
２０１  可動カバー
２０２  フック
【図１】
0003198667.tif 000003
【手続補正書】
【提出日】平成27年5月12日(2015.5.12)
【手続補正１】
【補正対象書類名】実用新案登録請求の範囲
【補正対象項目名】全文
【補正方法】変更
【補正の内容】
【実用新案登録請求の範囲】
【請求項１】
医用傷口分け装置において、スライドレバー、および、前記スライドレバーに組み合わせる2つのフック装置を含み、前記フック装置は可動カバーとフックを含み、前記可動カバーとフックは一体式構造であり、前記フックは前記可動カバーの下端面に位置し、前記可動カバーは前記スライドレバーに設置され、前記スライドレバーの外周面に二つのスライドレールが対称に設置され、前記可動カバーの内表面に前記スライドレールを組み合わせる溝が設置され、前記可動カバーの上部に一つのねじ穴が設置され、前記ねじ穴にねじが組み合わされ、前記ねじの下端面は前記スライドレバーと接触し、前記可動カバーの上部に接続先が設置され、前記接続先の中に取っ手が設置され、前記取っ手と前記接続先の間に第一ねじが組み合わされることを特徴とする医用傷口分け装置。
【請求項２】
請求項１に記載の医用傷口分け装置において、前記スライドレバーの表面に目盛りが軸方向で設置されることを特徴とする医用傷口分け装置。
【請求項３】
請求項１に記載の医用傷口分け装置において、前記取っ手の外表面に滑り止めカバーが設置され、前記滑り止めカバーはゴムカバーであることを特徴とする医用傷口分け装置。